(57)【特許請求の範囲】
【請求項１】
太陽エネルギーを活用する機能パネルを屋根に設置する構造であって、
前記機能パネルは、前記屋根の棟を挟んで傾斜した二つの屋根面のうちの少なくとも一方の屋根面に設置され、
前記棟を包む棟包部材と、
前記棟包部材に設けられた前記機能パネルを固定する固定部材と、を備え、
前記棟包部材は、
断面略山型であり頂部から軒側に延びる傾斜面を有する部分と、前記傾斜面を有する部分の端部から裏側に突出する部分と、前記突出する部分よりも外側に突出し、屋根面に設置される部分とを有し、
前記固定部材は、
前記傾斜面上に載せられた前記機能パネルの棟側端部を前記傾斜面上において固定して前記機能パネルを前記棟包部材に近接して設けることを特徴とする機能パネルの設置構造。
【請求項２】
前記棟包部材の少なくとも一部は換気棟包部材であり、
前記固定部材は第一固定部材を含み、前記第一固定部材はベース部材と第一の固定具とを備え、
前記ベース部材は前記棟を挟んで前記二つの屋根面に固定される一対の屋根面固定部と、前記換気棟包部材にその換気機能を妨げることなく被冠される被冠部とを有し、
前記第一の固定具は前記被冠部に設けられ、
前記機能パネルは前記第一の固定具により固定されていることを特徴とする請求項１に記載の機能パネルの設置構造。
【請求項３】
前記ベース部材は前記換気棟包部材の外形に沿うように略山型に形成され、
前記機能パネルが屋根下地と略平行となるように、前記ベース部材の頂部は前記屋根の勾配に対応して角度調整可能に形成されていることを特徴とする請求項２に記載の機能パネルの設置構造。
【請求項４】
太陽エネルギーを活用する機能パネルを屋根に設置する構造であって、
前記機能パネルは、前記屋根の棟を挟んで傾斜した二つの屋根面のうちの少なくとも一方の屋根面に設置され、
前記棟を包む棟包部材に固定部材が設けられ、
前記機能パネルの棟側端部が前記固定部材に固定されて前記機能パネルが前記棟包部材に近接して設けられ、
前記棟包部材の少なくとも一部は換気棟包部材であり、
前記固定部材は第一固定部材を含み、前記第一固定部材はベース部材と第一の固定具とを備え、
前記ベース部材は前記棟を挟んで前記二つの屋根面に固定される一対の屋根面固定部と、前記換気棟包部材にその換気機能を妨げることなく被冠される被冠部とを有し、
前記第一の固定具は前記被冠部に設けられ、
前記機能パネルは前記第一の固定具により固定され、
前記換気棟包部材は略山型に形成され、
前記ベース部材は前記換気棟包部材の外形に沿うように略山型に形成され、
前記機能パネルが屋根下地と略平行となるように、前記ベース部材の頂部は前記屋根の勾配に対応して角度調整可能に形成されていることを特徴とする機能パネルの設置構造。
【請求項５】
前記ベース部材の頂部には頂部に沿ってスリットが設けられていることを特徴とする請求項２乃至４のいずれか一項に記載の機能パネルの設置構造。
【請求項６】
前記ベース部材の頂部には、軸部と、この軸部に対して摺動する摺動部とを備えていることを特徴とする請求項２乃至４のいずれか一項に記載の機能パネルの設置構造。
【請求項７】
前記ベース部材は帯状体に形成され、複数の前記ベース部材が前記棟の長手方向に沿って並べて設けられていることを特徴とする請求項２乃至６のいずれか一項に記載の機能パネルの設置構造。
【請求項８】
前記ベース部材は前記棟の長手方向に沿う長尺体に形成され、前記換気棟包部材の換気口に対応する通気開口を有していることを特徴とする請求項２乃至６のいずれか一項に記載の機能パネルの設置構造。
【請求項９】
前記ベース部材は前記換気棟包部材の外形に沿うように略山型に形成され、
前記機能パネルが屋根下地と略平行となるように、前記ベース部材の頂部が形成されていることを特徴とする請求項２乃至８のいずれか一項に記載の機能パネルの設置構造。
【請求項１０】
前記棟包部材の少なくとも一部は非換気棟包部材であり、
前記固定部材は第二固定部材を含み、前記第二固定部材は第二の固定具を備え、
前記第二の固定具は前記非換気棟包部材の上に設けられ、
前記機能パネルは前記第二の固定具により固定されていることを特徴とする請求項１乃至９のいずれか一項に記載の機能パネルの設置構造。
【請求項１１】
太陽エネルギーを活用する機能パネルを屋根に設置する構造であって、
前記機能パネルは、前記屋根の棟を挟んで傾斜した二つの屋根面のうちの少なくとも一方の屋根面に設置され、
前記棟を包む棟包部材に固定部材が設けられ、
前記機能パネルの棟側端部が前記固定部材に固定されて前記機能パネルが前記棟包部材に近接して設けられ、
前記棟包部材の少なくとも一部は非換気棟包部材であり、
前記固定部材は第二固定部材を含み、前記第二固定部材は第二の固定具を備え、
前記第二の固定具は前記非換気棟包部材の上に設けられ、
前記機能パネルは前記第二の固定具により固定されていることを特徴とする機能パネルの設置構造。
【請求項１２】
前記機能パネルが屋根下地と略平行となるように、前記第二の固定具がスペーサにより角度調整されて設けられることを特徴とする請求項１０又は１１に記載の機能パネルの設置構造。
【請求項１３】
前記固定部材は、前記棟包部材とは別部材であり、前記機能パネルの棟側端部は、前記固定部材に支持されることで固定されていることを特徴とする請求項１乃至１２のいずれか一項に記載の機能パネルの設置構造。
【請求項１４】
太陽エネルギーを活用する機能パネルを屋根に設置する固定部材であり、
前記屋根の棟を包む棟包部材に設けられ、
前記棟包部材は、
断面略山型であり頂部から軒側に延びる傾斜面を有する部分と、前記傾斜面を有する部分の端部から裏側に突出する部分と、前記突出する部分よりも外側に突出し、屋根面に設置される部分とを有し、
前記固定部材は前記傾斜面の上に配置される固定具を備え、
前記固定具は、前記機能パネルの棟側端部を前記棟包部材の前記傾斜面に載っている状態で固定することで、前記機能パネルを前記棟包部材に近接して設置する固定部材。
【発明の詳細な説明】
【技術分野】
【０００１】
本発明は、機能パネルの設置構造及び固定部材に関する。より詳しくは、太陽エネルギーを活用する機能パネルを屋根に設置する構造及び固定部材に関する。
【背景技術】
【０００２】
従来、太陽熱収集パネルや太陽電池パネルなどの機能パネルが住宅などの建物の屋根に設置されている。
【０００３】
例えば、特許文献１には、下り棟及び大棟に沿って設けられる太陽熱収集器が笠状に形成された太陽光利用屋根が記載されている。また、特許文献２には、太陽光発電パネル又は太陽電池モジュールを支持する架台の取り付け固定方法が記載されており、棟頂部金具により２枚の格子状構造体を連結してなる架台を屋根上に配置するにあたって、棟頂部金具は格子状構造体を棟頂部から離れた状態で連結することが記載されている。
【先行技術文献】
【特許文献】
【０００４】
【特許文献１】特許第３５９３２９０号公報
【特許文献２】特許第５１７２０３９号公報
【発明の概要】
【発明が解決しようとする課題】
【０００５】
しかし、特許文献１のものでは、太陽熱収集器が笠状に形成されているので、既存の屋根に適用する場合には、その屋根の棟包部材を除去し、その代わりに、笠状の太陽熱収集器を設置しなければならない。従って、特許文献１に記載された太陽熱収集器では、既存の屋根に設置するのが難しい場合があり、また設置する際に大掛かりな工事を要する場合があった。
【０００６】
また、特許文献２のものでは、棟頂部から離れた状態で格子状構造体を配置するため、屋根の棟頂部の周辺に太陽光発電パネルが設置されない空きスペースが生じやすく、屋根面の利用面積が低減するおそれがあった。
【０００７】
本発明は上記の点に鑑みてなされたものであり、新規及び既存の屋根に適用可能であり、また屋根面の利用面積が低減しにくい機能パネルの設置構造及び固定部材を提供することを目的とするものである。
【課題を解決するための手段】
【０００８】
本発明に係る機能パネルの設置構造は、太陽エネルギーを活用する機能パネルを屋根に設置する構造であって、前記機能パネルは、前記屋根の棟を挟んで傾斜した二つの屋根面のうちの少なくとも一方の屋根面に設置され、前記棟を包む棟包部材に固定部材が設けられ、前記機能パネルの棟側端部が前記固定部材に固定されて前記機能パネルが前記棟包部材に近接して設けられていることを特徴とする。
機能パネルの設置構造は、前記棟を包む棟包部材と、前記棟包部材に設けられた前記機能パネルを固定する固定部材と、を備える。前記棟包部材は、断面略山型であり頂部から軒側に延びる傾斜面を有する部分と、前記傾斜面を有する部分の端部から裏側に突出する部分と、前記突出する部分よりも外側に突出し、屋根面に設置される部分とを有する。前記固定部材は、前記傾斜面上に載せられた前記機能パネルの棟側端部を前記傾斜面上において固定して前記機能パネルを前記棟包部材に近接して設ける。
【発明の効果】
【０００９】
本発明では、棟包部材に設けられる固定部材に機能パネルの棟側端部が固定され、機能パネルが棟包部材に近接して設けられているので、新規及び既存の屋根に設けられた棟包部材を利用して機能パネルを設置することができ、新規及び既存の屋根に適用可能であり、また機能パネルよりも軒側において屋根面に広いスペースを確保して利用することができ、屋根面の利用面積が低減しにくい。
【図面の簡単な説明】
【００１０】
【図１】図１は、本発明の実施の形態の一例を示す斜視図である。
【図２】図２は、同上の屋根の平面図である。
【図３】図３は、同上の屋根の棟の一例を示す一部の斜視図である。
【図４】図４は、同上の屋根の頂部の一例を示す一部の斜視図である。
【図５】図５は、同上の屋根の換気棟の一例を示す断面図である。
【図６】図６は、同上の固定部材の一例を示す斜視図である。
【図７】図７は、同上の屋根の非換気部分の一例を示す断面図である。
【図８】図８Ａはベース部材の一例を示す正面図、図８Ｂはベース部材の一例を示す平面図、図８Ｃはベース部材の一例を示す側面図である。
【図９】図９Ａはベース部材の他の一例を示す正面図、図９Ｂはベース部材の他の一例を示す平面図である。
【図１０】図１０は、ベース部材の他の一例を示す斜視図である。
【図１１】図１１は、本発明の実施の形態の他の一例を示す断面図である。
【図１２】図１２は、スペーサの一例を示す斜視図である。
【図１３】図１３は、本発明の実施の形態の他の一例を示す断面図である。
【発明を実施するための形態】
【００１１】
以下、本発明を実施するための形態を説明する。
【００１２】
図１は、機能パネル２を設置した屋根１の一例を示している。屋根１は棟（大棟）を有するものであればよく、例えば、妻切屋根、寄棟屋根、入母屋屋根などが挙げられる。屋根１の屋根頂部３には棟包部材４が設けられている。棟包部材４は屋根１の棟を上方から包むように覆って設けられている。棟包部材４は屋根頂部３の稜線５の長手方向において屋根頂部３の略全長にわたって設けられている。ここで「略全長」とは、全長と、全長よりもわずかに短い長さとを含む概念である。
【００１３】
機能パネル２は太陽エネルギーを活用するものである。機能パネル２としては、太陽熱を収集して水などの熱媒を温める太陽熱収集パネルや、太陽光の照射により発電する太陽電池パネルなどが例示される。機能パネル２は平板状に形成され、機能パネル２の機能（熱媒を温めたり発電したりする機能）が発現されるパネル本体６と、パネル本体６の周囲に設けられる枠体７とを備えて形成されている。
【００１４】
図１では、複数の機能パネル２が屋根１の屋根面８に設置されている。屋根１には屋根頂部３の両側に第一の屋根面８と第二の屋根面１８とが形成されている。第一の屋根面８と第二の屋根面１８は傾斜面であって、それぞれ屋根頂部３から屋根１の軒に向かって下り傾斜するように形成されている。図１においては、機能パネル２は二つの屋根面８、１８のうち、一方の第一の屋根面８に設置されている。また、これに限られず、機能パネル２は二つの屋根面８、１８のうち、他方の第二の屋根面１８に設置されてもよいし、あるいは第一の屋根面８と第二の屋根面１８の両方に設置されていてもよい。
【００１５】
複数の機能パネル２は屋根頂部３の稜線５の長手方向と略平行に並んで設置されている。ここで「略平行」とは、平行と、平行よりもわずかに外れた状態とを含む概念である。また機能パネル２は棟包部材４に近接して設置されている。すなわち、機能パネル２は棟包部材４と接して設置されるか、あるいは機能パネル２は棟包部材４と接していなくてもわずかな隙間を介して設置されている。このように機能パネル２は棟包部材４に近接して設けられ、屋根１の軒側の方に大きく突出しないようにして設けられている。従って、機能パネル２よりも軒側において、屋根面８に機能パネル２が設置されていない広い空きスペースが確保され、この空きスペースを有効に利用することが可能となる。例えば、機能パネル２として太陽熱収集パネルが用いられる場合は、機能パネル２よりも軒側の空きスペースに太陽熱収集パネルとは異なる他の機能パネル（太陽電池パネルなど）を設置することが可能となる。また空きスペースおける屋根面８が太陽電池付きの屋根材９で形成される場合は、空きスペースにおいて発電が可能となる。尚、屋根材９は太陽電池付きのものだけでなく、通常の瓦や窯業系材料で形成される平板状の屋根材などが使用可能である。
【００１６】
図２には、屋根頂部３の一部の平面図が示されている。屋根頂部３には複数の棟包部材４が設けられている。複数の棟包部材４の少なくとも一部は、換気機能を有する換気棟包部材１０で形成され、棟包部材４の少なくとも一部は、換気機能を有さない非換気棟包部材１１で形成されている。図２においては、換気棟包部材１０の長手方向の両側に隣接して非換気棟包部材１１が設けられている。屋根１の棟は、換気棟包部材１０の箇所で換気可能な換気棟として形成されている。
【００１７】
棟包部材４には複数の固定部材１２（第一の固定部材１２）が設けられており、この第一の固定部材１２により機能パネル２の棟側端部が棟包部材４に固定されている。機能パネル２の棟側端部は、屋根面８に設置された機能パネル２において、屋根１の傾斜方向で上端部となる端部である。換気棟包部材１０には、ベース部材１３と第一の固定具１４とからなる第一の固定部材１２が設けられている。非換気棟包部材１１には、第二の固定具１５からなる固定部材（第二の固定部材）が設けられている。第一の固定具１４と第二の固定具１５は同一のものが用いられる。
【００１８】
図３は、屋根１の棟部分の一部の斜視図が示されている。棟木１６には複数の垂木１７の上端部が載置されて固定されている。複数の垂木１７は棟木１６の長手方向に沿って所定の間隔を介して並んで配置されている。また各垂木１７は棟木１６の両側（棟木１６の長手方向に直交する方向）に斜め下方に突出するように設けられている。垂木１７の上には野地板などの屋根下地１９が設けられている。屋根下地１９の上面は棟木１６の両側において斜め下方に傾斜するように形成されている。屋根下地１９の上面には多数の屋根材９が設けられている。これら多数の屋根材９の上面により第一の屋根面８と第二の屋根面１８が形成されている。第一の屋根面８と第二の屋根面１８の交差部分が屋根１の棟２０として形成されている。第一の屋根面８と第二の屋根面１８は棟２０を挟んで屋根１の軒側に向かって傾斜するように形成されている。従って、棟２０は略山型に形成されている。
【００１９】
棟２０には通気路２１が形成されている。通気路２１は棟２０の長手方向と略平行に長く形成されている。また通気路２１は第一の屋根面８と第二の屋根面１８とに跨がるように形成されている。通気路２１は棟２０の箇所で屋根下地１９を貫通して形成されている。従って、通気路２１の上端は第一の屋根面８と第二の屋根面１８とに開口して形成され、通気路２１の下端は屋根下地１９の下面（屋根裏の面）に開口して形成されている。また棟２０には水切り部材２２が設けられている。水切り部材２２は金属薄板などの成形品であって、通気路２１の上端の開口にほぼ沿うように四角枠状に形成されている。水切り部材２２は通気路２１の上端の開口からの雨水の侵入を低減するものである。
【００２０】
また棟２０を挟む第一の屋根面８と第二の屋根面１８には笠木２３が設けられている。笠木２３は木製角材や樹脂製角材などで形成され、棟２０の長手方向（屋根頂部３の稜線５の長手方向と同じ）と略平行に長く形成されている。笠木２３は棟２０の近傍位置に設けられている。また笠木２３は、棟２０の長手方向において、通気路２１の上端の開口を除いて設けられている。
【００２１】
そして、図４のように、棟包部材４は棟２０を跨ぐように第一の屋根面８と第二の屋根面１８とにわたって配置され、第一の屋根面８と第二の屋根面１８とに固定される。棟２０は棟包部材４により上方から覆われる。また棟包部材４により屋根頂部３が形成される。ここで、棟包部材４のうち、換気棟包部材１０は通気路２１の上方に設けられ、非換気棟包部材１１は笠木２３の上方に設けられる。従って、図４のものでは、屋根頂部３の稜線５の長手方向において、換気棟包部材１０の両側に非換気棟包部材１１が隣接して設けられている。このようにして換気棟により換気機能を有する屋根１が形成される。換気棟包部材１０にはベース部材１３と第一の固定具１４とからなる複数の第一の固定部材１２が設けられる。また非換気棟包部材１１には、第二の固定具１５からなる複数の第二の固定部材が設けられている。第一の固定部材１２は稜線５の長手方向に沿って所定の間隔を介して並べて設けられている。
【００２２】
図５は、換気棟包部材１０が設けられた箇所における屋根１の一部の断面図である。換気棟包部材１０は金属薄板などを曲げ加工するなどして形成される成形品であって、上部材２４と第一の下部材２５と第二の下部材２６とを一体化して形成されている。上部材２４は幅方向（棟２０の長手方向と直交する水平方向）の中央部が上方に突出するように屈曲されており、上部材２４は断面略山型に形成されている。略山型の上部材２４の頂部により稜線５が形成されている。上部材２４の幅方向の両端部のうち、第一の屋根面８側の端部には第一の側壁部２７が設けられている。第一の側壁部２７は上部材２４の裏面側に突出して形成されている。上部材２４の幅方向の両端部のうち、第二の屋根面１８側の端部には第二の側壁部２８が設けられている。第二の側壁部２８は上部材２４の裏面側に突出して形成されている。第一の側壁部２７と第二の側壁部２８には換気口２９が設けられている。換気口２９は換気棟包部材１０の長手方向に所定の間隔を介して複数個設けられている。第一の下部材２５は上部材２４の稜線５よりも第一の屋根面８側の下方に配置されている。第一の下部材２５には第一の側壁部２７よりも外側に突出する第一の固定片３０が設けられている。第二の下部材２６は上部材２４の稜線５よりも第二の屋根面１８側の下方に配置されている。第二の下部材２６には第二の側壁部２８よりも外側に突出する第二の固定片３１が設けられている。上部材２４と第一の下部材２５の間及び上部材２４と第二の下部材２６の間には通気空間３２が設けられている。通気空間３２は上部材２４の幅方向の中央部の下方と換気口２９とに連通している。上部材２４の下面及び第一の下部材２５の上面及び第二の下部材２６の上面には複数の邪魔板３３が突出して設けられている。この邪魔板３３により通気空間３２がジグザグに形成されている。
【００２３】
第一の下部材２５は棟２０に近接して第一の屋根面８の上面に載置され、第一の固定片３０がビス等の固定手段で屋根材９や屋根下地１９に固定される。また第二の下部材２６が棟２０に近接して第二の屋根面１８の上面に載置され、第二の固定片３１がビス等の固定手段で屋根材９や屋根下地１９に固定される。このようにして換気棟包部材１０が棟２０を跨ぐようにして屋根１に設けられる。そして、通気路２１と通気空間３２と換気口２９とを通じて屋内（屋根裏空間）と屋外との間で空気が出入りすることにより、屋内の換気が行われる。ここで、通気空間３２は邪魔板３３によりジグザグに形成されているので、換気口２９から吹き込んだ雨水が通気路２１にまで到達しにくくなっている。
【００２４】
図６は、ベース部材１３と第一の固定具１４とからなる第一の固定部材１２が示されている。ベース部材１３は帯状の金属薄板などを曲げ加工するなどして形成される成形品であって、短尺の帯状体で形成されている。ベース部材１３は換気棟包部材１０に被冠される被冠部３４と、棟２０を挟んで位置する二つの屋根面８、１８に固定される一対の屋根面固定部３５、４２とを有している。被冠部３４の断面形状は換気棟包部材１０の上部材２４の断面形状と略同一に形成されている。従って、被冠部３４は、換気棟包部材１０の外形に沿うように略山型に形成されている。被冠部３４は上片部３６とその両端に設けられた第一の側片３７と第二の側片３８とで形成されている。上片部３６の長手方向の略中央部には上方に突出する屈曲部３９が形成されている。上片部３６の上面は屈曲部３９から両側端に向かって下り傾斜するように形成されている。上片部３６の上面の傾斜角度は屈曲部３９で上片部３６の折り曲げ度合いにより調整可能に形成されている。後述のように、機能パネル２が屋根下地１９と略平行となって設置されるように、ベース部材１３の頂部（屈曲部３９）が形成されている。上片部３６には屈曲部３９を挟む両側の位置に第一の固定孔４０と第二の固定孔４１が設けられている。第一の側片３７と第二の側片３８は上片部３６の裏面側に略垂直に突出して形成されている。第一の側片３７の下端には第一の屋根面固定部３５が外側に突出するように形成されている。第二の側片３８の下端には第二の屋根面固定部４２が外側に突出するように形成されている。
【００２５】
第一の固定具１４は金属成形品等で形成され、断面略下向きコ字状の本体部４３と結合片４４とを備えている。本体部４３の一端には内側に突出する押さえ部４５が設けられている。本体部４３の他端には結合片４４が外側に突出して形成されている。結合片４４には厚み方向に貫通する固着孔４６が設けられている。
【００２６】
そして、図５のように、被冠部３４が換気棟包部材１０に被冠されることにより、ベース部材１３が換気棟包部材１０の上に設けられる。また第一の屋根面固定部３５が第一の屋根面８に載置され、ビス等の固定手段４７で屋根材９や屋根下地１９に固定される。また第二の屋根面固定部４２が第二の屋根面１８に載置され、ビス等の固定手段４８で屋根材９や屋根下地１９に固定される。ここで、換気棟包部材１０の換気口２９が第一の側片３７や第二の側片３８で閉塞されにくいように、換気棟包部材１０に対するベース部材１３の取り付け位置が調整される。これにより、換気棟包部材１０の換気機能を妨げにくくなる。
【００２７】
第一の固定具１４は屈曲部３９よりも第一の屋根面８側において被冠部３４の上に設けられる。この場合、結合片４４の固着孔４６とベース部材１３の第一の固定孔４０とを位置合わせし、固着孔４６と第一の固定孔４０に設けたボルト及びナットなどの締結具９８で結合片４４と被冠部３４とが結合される。尚、第二の屋根面１８に機能パネル２を設置する場合は、第一の固定具１４は屈曲部３９よりも第二の屋根面１８側に取り付けられ、第二の固定孔４１を利用して第一の固定具１４は被冠部３４の上に設けられる。
【００２８】
そして、機能パネル２はその棟側端部（上端部）が第一の固定具１４により固定される。すなわち、機能パネル２の棟側端面において枠体７の外面には係止突起部４９が設けられており、この係止突起部４９が押さえ部４５と被冠部３４の間で挟持される。また機能パネル２の棟側端部が第一の屋根面８側の被冠部３４の上面に載置される。このようにして機能パネル２の棟側端部が第一の固定部材１２を介して換気棟包部材１０に近接して設けられる。ここで、機能パネル２の下面は屋根下地１９の上面と平行になることが好ましい。従って、屈曲部３９で上片部３６の上面の傾斜角度を調整することにより、上片部３６の上面に載置される機能パネル２の傾斜角度を調整し、機能パネル２の下面と屋根下地１９の上面とが平行になるようにする。
【００２９】
図７は、非換気棟包部材１１が設けられた箇所における屋根１の一部の断面図である。非換気棟包部材１１は金属薄板などを曲げ加工するなどして形成される成形品であって、上板部５０と一対の側板部５１，５２と一対の取付部５３，５４とを備えて形成されている。上板部５０は幅方向（棟２０の長手方向と直交する水平方向）の中央部が上方に突出するように屈曲されており、上板部５０は断面略山型に形成されている。略山型の上板部５０の頂部により稜線５が形成されている。上板部５０の幅方向の両端部のうち、第一の屋根面８側の端部には第一の側板部５１が設けられている。第一の側板部５１は上板部５０の裏面側に突出して形成されている。上板部５０の幅方向の両端部のうち、第二の屋根面１８側の端部には第二の側板部５２が設けられている。第二の側板部５２は上板部５０の裏面側に突出して形成されている。第一の側板部５１の下端には外側に突出する第一の取付部５３が設けられている。第二の側板部５２の下端には外側に突出する第二の取付部５４が設けられている。
【００３０】
そして、上板部５０の下面が笠木２３の上面に載置され、側板部５１，５２で笠木２３の外側面が覆われ、第一の取付部５３が第一の屋根面８の上面に載置され、第二の取付部５４が第二の屋根面１８の上面に載置され、第一の取付部５３がビス等の固定手段で屋根材９や屋根下地１９に固定され、第二の取付部５４がビス等の固定手段で屋根材９や屋根下地１９に固定される。このようにして非換気棟包部材１１が棟２０を跨いで屋根１に設けられる。上板部５０や側板部５１、５２がビス等の固定手段で固定されてもよい。
【００３１】
第二の固定具１５は第一の固定具１４と同様に形成されている。第二の固定具１５は非換気棟包部材１１の頂部（稜線５）よりも第一の屋根面８側において上板部５０の上に設けられる。この場合、結合片４４の固着孔４６からビス等の固定手段９５を上板部５０及び笠木２３にまでねじ込んだり打ち込んだりする。このようにして第二の固定具１５は非換気棟包部材１１の上に固定される。尚、第二の屋根面１８に機能パネル２を設置する場合は、第二の固定具１５は非換気棟包部材１１の頂部（稜線５）よりも第二の屋根面１８側に取り付けられる。
【００３２】
そして、機能パネル２はその棟側端部（上端部）が第二の固定具１５により固定される。すなわち、機能パネル２の棟側端面において枠体７の外面には係止突起部４９が設けられており、この係止突起部４９が押さえ部４５と上板部５０の間で挟持される。また機能パネル２の棟側端部が第一の屋根面８側の上板部５０の上面に載置される。このようにして機能パネル２の棟側端部が第二の固定部材（第二の固定具１５）を介して非換気棟包部材１１に近接して設けられる。
【００３３】
図８Ａ、図８Ｂ及び図８Ｃは、ベース部材１３の変形例である他のベース部材５５を示している。尚、ベース部材１３とベース部材５５の共通する部分には同一の符号を付してその説明を省略する。
【００３４】
ベース部材５５の上片部３６の長さ寸法（屈曲部３９の長手方向と同じ方向の寸法）はベース部材１３の上片部３６の長さ寸法よりも大きく形成されている。ベース部材５５の頂部の屈曲部３９には頂部に沿ってスリット５６が設けられている。スリット５６は屈曲部３９の長手方向と平行に長く形成されている。このスリット５６により上片部３６は屈曲部３９の箇所で屈曲しやすくなり、上片部３６の上面の傾斜角度の調整が行い易くなる。また、上片部３６には複数のリブ５７が設けられている。リブ５７は屈曲部３９の片側に設けられている。またリブ５７は上片部３６の裏面に突出して形成され、上片部３６の傾斜方向に長く形成されている。このリブ５７により上片部３６が補強され、機能パネル２を載置しても変形等が起こりにくくなる。さらに、第一の側片３７や第二の側片３８には通気開口５８が設けられている。通気開口５８は第一の側片３７や第二の側片３８を厚み方向で貫通するように形成されている。また通気開口５８は横方向に長く形成されている。このような通気開口５８を設けることにより、換気口２９が第一の側片３７や第二の側片３８で閉塞されにくくなり、換気棟包部材１０の換気性能が低下しにくくなる。尚、符号５９は固定手段４８を差し込むための孔部である。
【００３５】
図９Ａ、図９Ｂは、ベース部材１３の変形例である他のベース部材６０を示している。尚、ベース部材１３及びベース部材５５とベース部材６０との共通する部分には同一の符号を付してその説明を省略する。
【００３６】
ベース部材６０の上片部３６の長さ寸法（屈曲部３９の長手方向と同じ方向の寸法）はベース部材１３の上片部３６の長さ寸法よりも大きく形成されている。ベース部材６０の頂部の屈曲部３９はヒンジのように形成されている。上片部３６は第一の板材６１と第二の板材６２とで形成されている。第一の板材６１の屈曲部３９側の端部には断面略円形の軸部６３が設けられている。第二の板材６２の屈曲部３９側の端部には断面略Ｃ字状の摺動部６４が設けられている。そして、摺動部６４の内側に軸部６３を嵌めこむことにより、軸部６３と摺動部６４とが互いに摺動可能なように連結される。そして、このヒンジと同様に形成される屈曲部３９により上片部３６は屈曲部３９の箇所で屈曲しやすくなり、上片部３６の上面の傾斜角度の調整が行い易くなる。
【００３７】
機能パネル２の固定強度を確保するためには、ベース部材１３は相応の厚みが必要となるが、その分、現場において屋根勾配に応じてベース部材１３の頂部の屈曲部３９の角度を調整することが困難となる。そのため、屋根勾配毎にベース部材１３を用意することも考えられるが、製造や管理が煩雑となる。そこで、上述のベース部材５５及び６０のように屋根勾配に応じて、ベース部材５５及び６０の頂部の屈曲部３９の角度を可変とすることで、機能パネル２の固定強度を十分に確保した上で、種々の屋根勾配に対応することができるものである。
【００３８】
図１０は、ベース部材１３の変形例である他のベース部材６５を示している。尚、ベース部材１３及びベース部材５５とベース部材６５との共通する部分には同一の符号を付してその説明を省略する。
【００３９】
ベース部材６５の上片部３６の長さ寸法（屈曲部３９の長手方向と同じ方向の寸法）はベース部材１３の長さ寸法よりも大きく形成されている。すなわち、ベース部材６５は棟２０の長手方向に沿う方向に長い長尺体に形成されている。このようにベース部材６５を長尺体に形成することにより、機能パネル２の棟側端部が載置されるベース部材６５の長さを長くすることができ、機能パネル２を強固に支持することができる。また、複数個の通気開口５８がベース部材６５の長手方向に沿って並べて設けられている。これにより、換気口２９が第一の側片３７や第二の側片３８で閉塞されにくくなり、換気棟包部材１０の換気性能が低下しにくくなる。
【００４０】
図１１は、図７に示す機能パネル２の設置構造の変形例を示している。尚、図１１において、図７と共通する部分には同一の符号を付してその説明を省略する。
【００４１】
図１１は、第二の固定具と非換気棟包部材１１の上面との間にスペーサ６７が設けられている。スペーサ６７は、図１２のように、台座部６８と、台座部６８の両側に突出する支持片６９とを備えて形成されている。台座部６８の上面は先端に向かって下り傾斜するように形成されている。また、台座部６８の後部には締結孔７０が設けられている。そして、図１１のように、スペーサ６７は支持片６９をビスなどの固定手段７１で上板部５０の第一の屋根面８側の上面に固定されている。なお、支持片６９には、予め固定手段７１のための孔を設けていてもよい。機能パネル２の棟側端部は台座部６８の先端側の上面に載置されている。また第二の固定具１５は結合片４４の固着孔４６とスペーサ６７の締結孔７０とを位置合わせし、固着孔４６と締結孔７０に設けたボルト及びナットなどの締結具７２で結合片４４と台座部６８とが結合される。このようにして第二の固定具１５はスペーサ６７に固定されている。なお、図７の場合と同様に、ビス等の固定手段９５により、第二の固定具１５とスペーサ６７とを同時に固定してもよい。
【００４２】
そして、機能パネル２の棟側端面において枠体７の外面には係止突起部４９が設けられており、この係止突起部４９が押さえ部４５と台座部６８の間で挟持される。また機能パネル２の棟側端部が台座部６８の上面に載置される。このようにして機能パネル２の棟側端部が第二の固定部材（第二の固定具１５）を介して非換気棟包部材１１に近接して設けられる。
【００４３】
このようにスペーサ６７を用いた場合は、機能パネル２の棟側端部が台座部６８の上面の傾斜によって角度調整される。従って、機能パネル２が屋根下地１９と略平行となるように、機能パネル２を角度調整して設置することができる。
【００４４】
図１３には、第一の屋根面８と第二の屋根面１８の両方に機能パネル２を設置した例を示す。この場合、第一の固定部材１２としては、ベース部材１３と第一の固定具１４とが用いられる。この場合、被冠部３４が非換気棟包部材１１に被冠されることにより、ベース部材１３が非換気棟包部材１１の上に設けられる。また、被冠部３４の第一の屋根面８側と第二の屋根面１８側の両方に第一の固定具１４が固定手段７７で固定されて設けられる。そして、上記と同様にして、機能パネル２の棟側端面において枠体７の外面の係止突起部４９が押さえ部４５と被冠部３４の間で挟持される。また一方の機能パネル２の棟側端部が第一の屋根面８側の被冠部３４の上面に載置され、他方の機能パネル２の棟側端部が第二の屋根面１８側の被冠部３４の上面に載置される。このようにして二つの機能パネル２の棟側端部が第一の固定部材１２を介して非換気棟包部材１１に近接して設けられる。
【００４５】
第一の屋根面８と第二の屋根面１８の両方に機能パネル２を設置する場合は、機能パネル２を強固に固定するため、棟２０の非換気部分であってもベース部材１３を用いて施工するのが好ましい。また、屋根頂部３を挟んで対向する機能パネル２の間の空間は、機能パネル２に用いる熱媒を流通させる配管や、機能パネル２に給電したり機能パネル２から送電したりするための配線を配設するための配置スペースとして用いることができる。
【００４６】
以上で説明した機能パネル２の設置構造は、太陽エネルギーを活用する機能パネルを屋根１に設置する構造であって、機能パネル２は、屋根１の棟２０を挟んで傾斜した二つの屋根面８，１８のうちの少なくとも一方の屋根面８に設置され、棟２０を包む棟包部材４に第一の固定部材１２が設けられ、機能パネル２の棟側端部が第一の固定部材１２に固定されて機能パネル２が棟包部材４に近接して設けられていることを特徴とする。この場合、新規及び既存の屋根１に設けられた棟包部材４を利用して機能パネル２を設置することができ、新規及び既存の屋根１に適用可能である。また機能パネル２よりも軒側において屋根面８に広いスペースを確保して利用することができ、屋根面８の利用面積が低減しにくいものである。
【００４７】
また上記の機能パネル２の設置構造において、棟包部材４の少なくとも一部は換気棟包部材１０であり、第一の固定部材１２はベース部材１３と第一の固定具１４とを備え、ベース部材１３は棟２０を挟んで二つの屋根面８，１８に固定される一対の屋根面固定部３５、４２と、換気棟包部材１０にその換気機能を妨げることなく被冠される被冠部３４とを有し、第一の固定具１４は被冠部３４の上に設けられ、機能パネル２は第一の固定具１４により固定されていることが好ましい。この場合、屋根１の換気機能を有する箇所においても、第一の固定部材１２により機能パネル２を設置することができ、しかも、屋根１の換気機能も低下しにくいものである。
【００４８】
また上記の機能パネル２の設置構造において、ベース部材１３は帯状体に形成され、複数のベース部材１３が棟２０の長手方向に沿って並べて設けられていることが好ましい。この場合、換気棟包部材１０の換気する部分（換気口２９）がベース部材１３で閉塞されにくくなって、屋根１の換気機能が低下しにくいものである。
【００４９】
また上記の機能パネル２の設置構造において、ベース部材６５は棟２０の長手方向に沿う長尺体に形成され、換気棟包部材１０の換気口２９に対応する通気開口５８を有していることが好ましい。この場合、通気開口５８により換気口２９が塞がれにくくなって、屋根１の換気機能が低下しにくいものである。
【００５０】
また上記の機能パネル２の設置構造において、換気棟包部材１０は略山型に形成され、ベース部材（１３、５５、６０、６５）は換気棟包部材１０の外形に沿うように略山型に形成され、機能パネル２が屋根下地１９と略平行となるように、ベース部材（１３、５５、６０、６５）の頂部は屋根１の勾配に対応して角度調整可能に形成されていることが好ましい。この場合、機能パネル２が屋根下地１９と略平行となるように、ベース部材（１３、５５、６０、６５）で機能パネル２の傾斜角度を調整することができ、機能パネル２を安定して強固に設置することができる。
【００５１】
また上記の機能パネル２の設置構造において、ベース部材５５の頂部にはスリット５６が設けられていることが好ましい。この場合、ベース部材５５の頂部において、ベース部材５５が曲げやすくなって、ベース部材５５の角度調整を容易に行うことができる。
【００５２】
また上記の機能パネル２の設置構造において、ベース部材６０の頂部には、軸部６３と、この軸部６３に対して摺動する摺動部６４とを備えていることが好ましい。この場合、ベース部材６０の頂部において、ベース部材６０が曲げやすくなって、ベース部材６０の角度調整を容易に行うことができる。
【００５３】
また上記の機能パネル２の設置構造において、棟包部材４の少なくとも一部は非換気棟包部材１１であり、第二の固定部材は第二の固定具１５を備え、第二の固定具１５は非換気棟包部材１１の上に設けられ、機能パネル２は第二の固定具１５により固定されていることが好ましい。この場合、ベース部材を用いなくても、機能パネル２を第二の固定具１５により固定することができ、施工の手間を低減することができる。
【００５４】
また上記の機能パネル２の設置構造において、機能パネル２が屋根下地１９と略平行となるように、第二の固定具１５がスペーサ６７により角度調整されて設けられることが好ましい。この場合、スペーサ６７で機能パネル２の傾斜角度を調整することができ、機能パネル２を安定して強固に設置することができる。
【符号の説明】
【００５５】
１  屋根
２  機能パネル
４  棟包部材
８  屋根面
１０  換気棟包部材
１１  非換気棟包部材
１２  固定部材（第一の固定部材）
１３  ベース部材
１４  第一の固定具
１５  第二の固定具
１８  屋根面
１９  屋根下地
２０  棟
２９  換気口
３４  被冠部
３５  屋根固定部
４２  屋根面固定部
５５  ベース部材
５６  スリット
５８  通気開口
６０  ベース部材
６３  軸部
６４  摺動部
６５  ベース部材
６７  スペーサ
【図１】
0006483994.tif 000002
【図２】
0006483994.tif 000003
【図３】
0006483994.tif 000004
【図４】
0006483994.tif 000005
【図５】
0006483994.tif 000006
【図６】
0006483994.tif 000007
【図７】
0006483994.tif 000008
【図８】
0006483994.tif 000009
【図９】
0006483994.tif 000010
【図１０】
0006483994.tif 000011
【図１１】
0006483994.tif 000012
【図１２】
0006483994.tif 000013
【図１３】
0006483994.tif 000014